(57)【特許請求の範囲】
【請求項１】
ローラーミルであって、
ａ．ミル軸を中心に回転するように配置される粉砕テーブル（１）と、
ｂ．粉砕ローラー軸（３）を中心に回転することができると共に、前記粉砕テーブルと転がり係合する少なくとも１つの粉砕ローラー（２）と、
ｃ．前記粉砕ローラー（２）を保持すると共に旋回軸（５）を有する少なくとも１つの旋回レバー（４）であって、前記旋回軸は、前記粉砕ローラー軸（３）と平行に又は該粉砕ローラー軸（３）に対して傾いて配置される、少なくとも１つの旋回レバー（４）と、
ｄ．固定して配置され、該粉砕ローラー（２）を駆動する少なくとも１つのモーター（８）と、
を有し、固定して配置される前記モーター（８）は、駆動力を伝達するように駆動系を介して前記粉砕ローラー（２）に接続されており、前記駆動系は、固定されている固定駆動系と、前記旋回レバー（４）と共に可動でもある可動駆動系とを含み、前記固定駆動系は、前記可動駆動系と接触すると共に、前記旋回レバー（４）の前記旋回軸（５）に対して同軸上に配置される駆動要素を有することを特徴とする、ローラーミル。
【請求項２】
前記可動駆動系は、前記粉砕ローラー（２）に接続されている歯付きリング（１２）を有することを特徴とする、請求項１に記載のローラーミル。
【請求項３】
前記駆動要素（９）は前記歯付きリング（１２）と係合することを特徴とする、請求項１に記載のローラーミル。
【請求項４】
前記駆動要素（９）は、少なくとも１つの中間歯車（１３）を介して前記歯付きリング（１２）と動作接続することを特徴とする、請求項１に記載のローラーミル。
【請求項５】
前記中間歯車（１３）は前記旋回レバー（４）に保持されることを特徴とする、請求項４に記載のローラーミル。
【請求項６】
前記駆動要素（９）及び／又は前記可動駆動系の要素は旋回運動するように保持されることを特徴とする、請求項１に記載のローラーミル。
【請求項７】
前記旋回レバー（４）の前記旋回軸（５）は、前記粉砕テーブル（１）の回転方向（１４）に前記粉砕ローラー軸（３）の下流に配置されることを特徴とする、請求項１に記載のローラーミル。
【請求項８】
前記ローラーミルは、前記粉砕ローラー（２）の押圧圧力を調整するために前記旋回レバー（４）と動作接触する少なくとも１つの押圧システム（６）をさらに備えることを特徴とする、請求項１に記載のローラーミル。
【請求項９】
前記ローラーミルはミルハウジング（７）を有し、前記旋回レバー（４）は該ミルハウジング（７）の外側に配置されることを特徴とする、請求項１に記載のローラーミル。
【請求項１０】
前記粉砕テーブル（１）は、前記粉砕ローラー（２）に加えて個々の駆動装置も有することを特徴とする、請求項１に記載のローラーミル。
【請求項１１】
ローラーミルであって、
ａ．ミル軸を中心に回転するように配置される粉砕テーブル（１）と、
ｂ．粉砕ローラー軸（３）を中心に回転することができると共に、前記粉砕テーブル（１）と転がり係合する少なくとも１つの粉砕ローラー（２）と、
ｃ．前記粉砕ローラー（２）を保持すると共に旋回軸（５）を有する少なくとも１つの旋回レバー（４）であって、前記旋回軸は、前記粉砕ローラー軸（３）と平行に又は該粉砕ローラー軸（３）に対して傾いて配置される、少なくとも１つの旋回レバー（４）と、
ｄ．固定して配置され、該粉砕ローラー（２）を駆動する少なくとも１つのモーター（８）と、
を有し、固定して配置される前記モーター（８）は、駆動力を伝達するように駆動系を介して前記粉砕ローラーに接続されており、前記駆動系は、固定されている固定駆動系と、前記旋回レバーと共に可動である可動駆動系とを含み、２つの該駆動系は、２つのかさ歯車（１６、１７）を介して互いに接続されており、該かさ歯車は、該かさ歯車の軸が前記旋回軸（５）において交わるように配置されることを特徴とする、ローラーミル。
【請求項１２】
前記駆動要素及び／又は前記可動駆動系の要素は旋回運動するように保持されることを特徴とする、請求項１１に記載のローラーミル。
【請求項１３】
前記旋回レバー（４）の前記旋回軸（５）は、前記粉砕テーブル（１）の回転方向に前記粉砕ローラー軸（３）の下流に配置されることを特徴とする、請求項１１に記載のローラーミル。
【請求項１４】
前記ローラーミルはミルハウジング（７）を有し、前記旋回レバー（４）は該ミルハウジング（７）の外側に配置されることを特徴とする、請求項１１に記載のローラーミル。
【発明の詳細な説明】
【技術分野】
【０００１】
本発明は、ミル軸を中心に回転するように配置される粉砕テーブルと、粉砕ローラー軸を中心に回転することができると共に、粉砕テーブルと転がり係合する少なくとも１つの粉砕ローラーと、粉砕ローラーを保持する少なくとも１つの旋回レバーとを有するローラーミルに関する。
【背景技術】
【０００２】
上記ミルの種々の構成の種類が、実践及び技術文献から十分に知られている。弾性力ミル又は外力ミルとも称されるそれらのローラーミル又はシリンダーミルは例えば、セメント原料、セメントクリンカー、石炭、鉱石材料等を粉末状にするために使用することができる。ミルハウジング内には、ミル軸を中心に回転するように配置されると共に、その上に粉砕経路が構成されている粉砕リング又は粉砕テーブルと、粉砕経路の周囲に分散配置されていると共に、その粉砕経路上で転がる複数の粉砕ローラー又は粉砕シリンダーとが設けられている。材料を粉末状にする作業時に、粉砕テーブル又は粉砕リングの中心に供給される粉砕対象材料は、粉砕リングと粉砕ローラーとの間の粉砕経路で粉末状にされるが、押圧部材が、粉砕に対応するような大きく、調整可能な粉砕力が粉砕経路に導入されるように動作する。
【０００３】
特許文献１には、粉砕ローラーを回転可能に保持する旋回レバーを有するローラーミルであって、旋回レバーが、粉砕ローラー軸と平行に配置される旋回軸を有する、ローラーミルを開示されている。駆動は、粉砕テーブルを介して行われる。しかし、これらのミルは、高いスループットを有する大きなミルに必要な大きな駆動力を生じさせるために非常に高いコストが必要になるという欠点を有する。
【０００４】
特許文献２にもローラーミルが記載されており、このローラーミルは、粉砕テーブルが駆動され、粉砕ローラーがそれぞれ、粉砕ローラー軸と平行に配置される旋回軸を有する旋回レバーに保持される。
【０００５】
さらに、特許文献３には被駆動テーブル及び被駆動エッジランナーを有するエッジミルを開示されている。
【先行技術文献】
【特許文献】
【０００６】
【特許文献１】ＤＥ  ５０９  ２１２
【特許文献２】ＤＥ  １０  ２００６  ０６１  ３２８  Ａ１
【特許文献３】ＤＥ  ２９５  ５６３  Ａ
【発明の概要】
【発明が解決しようとする課題】
【０００７】
したがって、本発明の目的は、大きな駆動力及び高いスループットをより安価で生じさせることもできるローラーミル（旋回レバーミル）を提供することにある。
【課題を解決するための手段】
【０００８】
本発明によると、この目的は、請求項１及び１２の特徴によって達成される。
【０００９】
本発明によるローラーミルは、ミル軸を中心に回転するように配置される粉砕テーブルと、粉砕ローラー軸を中心に回転することができると共に、粉砕テーブルと転がり係合する少なくとも１つの粉砕ローラーと、粉砕ローラーを保持すると共に旋回軸を有する少なくとも１つの旋回レバーであって、旋回軸は、粉砕ローラー軸と平行に又は粉砕ローラー軸に対して傾いて配置される、少なくとも１つの旋回レバーとを備える。固定モーターが、駆動力を伝達するように駆動系を介して粉砕ローラーにさらに接続されており、駆動系は、適所に固定されている駆動系と、旋回レバーと共に可動でもある駆動系とを含む。固定駆動系は、可動駆動系と接触すると共に、旋回レバーの旋回軸に対して同軸上に配置される駆動要素を有する。
【００１０】
本発明の別の構成によると、ローラーミルは、ミル軸を中心に回転するように配置される粉砕テーブルと、粉砕ローラー軸を中心に回転することができると共に、粉砕テーブルと転がり係合する少なくとも１つの粉砕ローラーと、粉砕ローラーを保持すると共に旋回軸を有する少なくとも１つの旋回レバーであって、旋回軸は、粉砕ローラー軸と平行に又は粉砕ローラー軸に対して傾いて配置される、少なくとも１つの旋回レバーとを少なくとも備える。固定モーターが、駆動力を伝達するように駆動系を介して粉砕ローラーにさらに接続されており、駆動系は、適所に固定されている駆動系と、旋回レバーと共に可動である駆動系とを含み、２つの駆動系は、２つのかさ歯車を介して互いに接続されており、かさ歯車は、該かさ歯車の軸が旋回軸において交わるように配置される。
【００１１】
少なくとも粉砕ローラーも駆動されることによって、複数の粉砕ローラー、並びに／又は粉砕ローラー及び粉砕テーブルにわたってローラーミルを駆動する力を分散することが可能である。それによって、より小型であり、したがってより安価である駆動装置を使用することが可能である。
【００１２】
旋回レバーの旋回運動中の粉砕ローラー軸と駆動要素の軸との間の間隔は、旋回軸に対して同軸上に配置される駆動要素によって変化することがない。その結果、駆動力の信頼性の高い伝達が確実になる。
【００１３】
旋回軸が粉砕ローラー軸と平行に又は粉砕ローラー軸に対して傾いて配置される場合、２つのかさ歯車を介して２つの駆動系を互いに接続することが可能であり、２つのかさ歯車はこの場合、かさ歯車の軸が旋回軸において交わるように配置され、駆動力の信頼性の高い伝達を確実にすることができる。
【００１４】
従属請求項は、本発明の他の利点及び構成に関する。
【００１５】
好ましい実施の形態によると、可動駆動系は、粉砕ローラーに接続されていると共に、好ましくは駆動要素に直接的に又は少なくとも１つの中間歯車を介して接続されている歯付きリングを有する。中間歯車は、好ましくは旋回レバーに保持される。しかし、固定駆動系と可動駆動系との間に設けられる牽引機構の駆動歯車である駆動要素が設けられてもよい。少なくとも駆動要素及び／又は可動駆動系の要素が撓み力によっていかなる相対運動も補償するために旋回運動するように構成される場合、さらに好ましい。
【００１６】
当然ながら、粉砕テーブルは、粉砕ローラー（複数可）に加えて自身の駆動装置も有することができる。複数の駆動装置にわたって駆動力を分散することによって、より小型であり、したがってより安価である駆動装置を使用することが可能であるという利点がある。
【００１７】
好ましい実施の形態によると、旋回レバーの旋回軸は、粉砕テーブルの回転方向に粉砕ローラー軸の下流に配置される。ローラーミルは、粉砕ローラーの押圧圧力を調整するために旋回レバーと動作接触する少なくとも１つの押圧システムをさらに備える。
【００１８】
説明及び図面を参照して、本発明の他の利点及び構成を以下でより詳細に説明する。
【図面の簡単な説明】
【００１９】
【図１ａ】第１の実施形態によるローラーミルの概略を示す上面図である。
【図１ｂ】第１の実施形態の概略を示す側面図である。
【図２ａ】第２の実施形態によるローラーミルの側面図である。
【図２ｂ】図２ａの線Ａ−Ａに沿った断面図である。
【図３】第３の実施形態によるローラーミルの概略図である。
【図４】第４の実施形態によるローラーミルの概略図である。
【図５】第５の実施形態によるローラーミルの概略図である。
【発明を実施するための形態】
【００２０】
図１ａ及び図１ｂに示されるローラーミルは、ミル軸を中心に回転するように配置される粉砕テーブル１と、粉砕ローラー軸３を中心に回転することができると共に粉砕テーブルと転がり係合する少なくとも１つの粉砕ローラー２と、粉砕ローラー２を保持する少なくとも１つの旋回レバー４とを実質的に備える。旋回レバーは、旋回軸５を有し、旋回軸は、粉砕ローラー軸３と平行に配置される。
【００２１】
旋回レバー４と動作接触する少なくとも１つの押圧システム６が、粉砕ローラーの押圧圧力を調整するためにさらに設けられる。その押圧システムは、例えば流体圧弾性システムによって形成することができる。
【００２２】
粉砕テーブル及び粉砕ローラーはミルハウジング７内に配置されるが、旋回レバーは、ミルハウジングの外側に配置されるのが望ましい。粉砕ローラー２を駆動するために、適所に固定されるように配置されると共に固定駆動系を介して粉砕ローラー２に接続されているモーター８と、旋回レバー４と共に可動である駆動系とが設けられる。この場合、固定駆動系は、可動駆動系と接触していると共に、旋回レバー４の旋回軸５に対して同軸上に配置される駆動要素９を有する。その駆動要素９は、モーター８によって歯車１０、１１を介して駆動される。可動駆動系は、粉砕ローラー２に接続されていると共に、駆動要素９に直接的に又は図示のように中間歯車１３を介して動作接続される歯付きリング１２を有する。駆動要素９並びに／又は中間歯車１３及び歯付きリング１２は、旋回レバー又は粉砕ローラー軸のいかなる曲げ応力も補償することができるように旋回運動するように保持することができる。
【００２３】
また、粉砕ローラー軸３と駆動要素９の軸との間の間隔は、駆動要素９の同軸配置によって、旋回レバー４が移動しても変わらないため、駆動力の信頼性の高い伝達が確実になる。
【００２４】
材料を粉末状にするためには、旋回レバー４の旋回軸が、材料の回転方向１４において粉砕ローラー軸３の下流に配置されることが望ましい。ローラーミルには、それぞれが個々の駆動装置を有することができる複数の粉砕ローラー、特に２つ、４つ又は６つの粉砕ローラーが配置されるのが望ましい。個々の駆動装置を有する粉砕テーブルを設けることがさらに望ましい。
【００２５】
駆動力を駆動要素９、中間歯車１３及び歯付きリング１２を介して伝達する代わりに、駆動歯車が旋回軸５に対して同軸上に配置された牽引機構を設けることも可能である。また、牽引機構の代わりに、かさ歯車機構を設けることも可能である。駆動要素９はこの場合、同様に旋回軸５に対して同軸上に配置されるかさ歯車として構成され得る。
【００２６】
図２ａ及び図２ｂによる第２の実施形態では、駆動要素９は、旋回軸５に対して同軸上に配置されると共に歯付きリング１２と係合するピニオンギアによって形成される。この例では、図１ａによる中間歯車１３は用いられていない。モーター８は、歯車機構１５、例えば歯車列機構を介してピニオンギア９を駆動する。モーター８は、固定駆動系の向きを１８０度変えるように構成されている。
【００２７】
旋回レバー４は、粉砕ローラー軸３を固定すると共に旋回軸５を中心に旋回運動するように配置される２つの旋回アーム４ａを有する。押圧システム６は、この例では張力下で機能し、流体圧弾性システムとして構成することができる。その配置の結果、粉砕ローラー２の駆動システムが非常にコンパクトになる。
【００２８】
粉砕ローラー軸３と旋回軸５とは平行な配置であることが好ましいが、粉砕ローラー軸３と旋回軸５とが傾いた配置としてもよい。傾いた配置は、互いに対して平行でも垂直でもない旋回軸５に対する粉砕ローラー軸３の全ての向きを含む。
【００２９】
図３〜図５は、そのような傾いた配置の３つの異なる実施形態を示す。これらの例の全てにおいて、固定駆動系及び可動駆動系は、２つのかさ歯車１６、１７を介して互いに接続されており、かさ歯車は、かさ歯車の軸が旋回軸５において互いに交わるように配置される。
【００３０】
図３及び図５による実施形態では、固定駆動系のかさ歯車１６は、旋回軸５に対して同軸上に配置されている。図３に示す実施形態では、粉砕ローラー軸３が傾いて配置されており、一方で、図５による実施形態では、旋回軸５が粉砕ローラー軸に対して回転している。図４による実施形態では、かさ歯車１６の軸は、粉砕ローラー軸３と平行に配置されている。
【００３１】
図３〜図５の３つ全ての場合において、関連するかさ歯車１６、１７の軸は旋回軸５において交わっており、それによって、粉砕ローラー軸２及び旋回軸５が傾いて配置される場合に駆動力の信頼性の高い伝達も確実にする。この変形形態では、かさ歯車を旋回運動するように保持してもよい。
【００３２】
駆動力が複数のモーターにわたって分散されるとしても、これらのモーターは相当な重量を有するため、モーター及び任意選択的には歯車機構の一部が固定して配置される場合に、具体的には旋回レバー及び軸受の構成並びにそれらの制御に関して有利である。それによって、ベースを介していかなるトルクも容易に消散させることも可能である。
【００３３】
ただし、可動駆動系と接触する駆動要素の上記配置によって、適所に固定されているモーターにおいて駆動力の信頼性の高い伝達を確実にすることも可能である。
【図１ａ】
0005564044.tif 000002
【図１ｂ】
0005564044.tif 000003
【図２ａ】
0005564044.tif 000004
【図２ｂ】
0005564044.tif 000005
【図３】
0005564044.tif 000006
【図４】
0005564044.tif 000007
【図５】
0005564044.tif 000008